【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  車両等の移動体と観光案内の対象となる案内対象物との位置
的関連性に基づいて、案内すべき案内対象物を決定する決定手段と、
該決定手段により決定された案内対象物の案内情報を提供する提供手段とを備
えた、前記移動体に装備されるナビゲーション装置において、
前記案内対象物に対するある観光目的の達成に、前記移動体の前記案内対象物
への訪問が必要であるか否かを判定する第１の判定手段と、
前記移動体の前記案内対象物への訪問の実現性を判定する第２の判定手段とを
備えると共に、
前記提供手段が、前記第１の判定手段による判定結果、及び前記第２の判定手
段による判定結果に基づく案内情報を提供するものであることを特徴とするナビ
ゲーション装置。
【請求項２】  目的地を設定するための目的地設定手段を備え、
前記第２の判定手段が、前記設定手段により設定された目的地と前記案内対象
物との位置に基づいて、前記移動体の前記案内対象物への訪問の実現性を判定す
るものであることを特徴とする請求項１記載のナビゲーション装置。
【請求項３】  移動体の位置に基づいて、案内情報を提供する提供手段を備
えたナビゲーション装置において、
前記案内情報の提供状況に応じて、ドライブを演出するためのイベントを行う
イベント手段を備えていることを特徴とするナビゲーション装置。
【請求項４】 前記案内情報の提供が所定の期間無い場合、
前記イベント手段が、前記イベントを行うものであることを特徴とする請求項
３記載のナビゲーション装置。
【請求項５】  前記イベント手段が、次の案内情報が提供されるまでの期間
、又は距離に基づいて、前記イベントを行うものであることを特徴とする請求項
３又は請求項４記載のナビゲーション装置。
【請求項６】  目的地を設定するための目的地設定手段を備え、
前記イベント手段が、前記目的地設定手段により設定された目的地へ到達する
までに要する期間、又は距離に基づいて、前記イベントを行うものであることを
特徴とする請求項３又は請求項４記載のナビゲーション装置。
【手続補正２】
【補正対象書類名】明細書
【補正対象項目名】００１４
【補正方法】変更
【補正の内容】
【００１４】
【課題を解決するための手段及びその効果】
上記目的を達成するために本発明に係るナビゲーション装置（１）は、車両等
の移動体と観光案内の対象となる案内対象物との位置的関連性に基づいて、案内
すべき案内対象物を決定する決定手段と、該決定手段により決定された案内対象
物の案内情報を提供する提供手段とを備えた、前記移動体に装備されるナビゲー
ション装置において、前記案内対象物に対するある観光目的の達成に、前記移動
体の前記案内対象物への訪問が必要であるか否かを判定する第１の判定手段と、
前記移動体の前記案内対象物への訪問の実現性を判定する第２の判定手段とを備
えると共に、前記提供手段が、前記第１の判定手段による判定結果、及び前記第
２の判定手段による判定結果に基づく案内情報を提供するものであることを特徴
としている。
【手続補正３】
【補正対象書類名】明細書
【補正対象項目名】００１５
【補正方法】変更
【補正の内容】
【００１５】
上記ナビゲーション装置（１）によれば、前記第１の判定手段による判定結果
（すなわち、前記案内対象物に対するある観光目的の達成に、前記移動体の前記
案内対象物への訪問の必要性の判定結果）、及び前記第２の判定手段による判定
結果（すなわち、前記移動体の前記案内対象物への訪問の実現性の判定結果）に
基づいて、前記決定手段により案内すべきと決定された案内対象物の案内情報が
提供される。
【手続補正４】
【補正対象書類名】明細書
【補正対象項目名】００２０
【補正方法】変更
【補正の内容】
【００２０】
また、本発明に係るナビゲーション装置（２）は、上記ナビゲーション装置（
１）において、目的地を設定するための目的地設定手段を備え、前記第２の判定
手段が、前記設定手段により設定された目的地と前記案内対象物との位置に基づ
いて、前記移動体の前記案内対象物への訪問の実現性を判定するものであること
を特徴としている。
【手続補正５】
【補正対象書類名】明細書
【補正対象項目名】００２１
【補正方法】変更
【補正の内容】
【００２１】
上記ナビゲーション装置（２）によれば、前記目的地と前記案内対象物との位
置に基づいて、前記移動体の前記案内対象物への訪問の実現性が判定されるので
、例えば、前記案内対象物が前記目的地から遠く離れている場合、前記移動体の
前記案内対象物への訪問の実現性が低いと判定することができる。
これにより、前記移動体の前記案内対象物への訪問の実現性の判定を適切に行
うことができるので、前記移動体の乗員（ユーザー）にとって有用性の高い情報
であるか否かの判断をより適切に行うことができる。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
また、上記ナビゲーション装置（１）又は（２）において、前記第２の判定手
段により、前記移動体の前記案内対象物への訪問の実現性は低い（例えば、前記
案内対象物が目的地から遠く離れたところに存在する）と判定された場合、前記
案内対象物への訪問に有用となる情報（例えば、休園日や、開園時間、閉園時間
、入園料に関する情報）の全部、又はその一部を含まないように、前記案内対象
物の案内情報が提供されるようにしても良い。
【手続補正８】
【補正対象書類名】明細書
【補正対象項目名】００２４
【補正方法】変更
【補正の内容】
【００２４】
これにより、例えば、前記第１の判定手段により、前記案内対象物に対するあ
る観光目的の達成に、前記移動体の前記案内対象物への訪問の必要性は有る（例
えば、前記案内対象物が動物園や博物館である）と判定されたとしても、前記第
２の判定手段により、前記移動体の前記案内対象物への訪問の実現性は低い（例
えば、前記案内対象物が目的地から遠く離れたところに存在する）と判定された
場合には、前記案内対象物の案内情報を、前記案内対象物への訪問に有用となる
情報（例えば、休園日や、開園時間、閉園時間、入園料に関する情報）の全部、
又はその一部を含まないようにすることができる。
従って、動物園や博物館などへ近づいたとしても、これら施設へ訪問すること
が難しい場合には、これら施設の案内情報の中から、これら施設への訪問に有用
となる情報の全部、又はその一部を削除することができる。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】変更
【補正の内容】
【００２６】
また、上記ナビゲーション装置（１）又は（２）において、日付条件、曜日条
件、及び時刻条件のうちの少なくとも一つの条件に基づいて、前記案内対象物の
案内情報としての、前記案内対象物への訪問に有用となる情報が提供されるよう
にしても良い。これにより、ユーザーに対し、有用性の高い情報だけを提供する
ことなどができるようになる。
【手続補正１１】
【補正対象書類名】明細書
【補正対象項目名】００２７
【補正方法】変更
【補正の内容】
【００２７】
なお、このような前記案内対象物への訪問に有用となる情報の提供は、前記第
１の判定手段により、前記案内対象物に対するある観光目的の達成に、前記移動
体の前記案内対象物への訪問の必要性は有ると判定され、前記第２の判定手段に
より、前記移動体の前記案内対象物への訪問の実現性は高いと判定された場合に
、特に有効である。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】変更
【補正の内容】
【００３１】
さらに、上記ナビゲーション装置において、前記案内対象物が休日でない場合
、該案内対象物への訪問に有用となる情報としての、休日に関する情報を含まな
いように、前記案内対象物の案内情報が加工されるようにしても良い。これによ
り、乗員にとって有用性の高い情報だけを乗員へ提供することができるので、情
報の氾濫により、乗員を混乱させるといった事態が生じるのを防止することがで
きる。
【手続補正１４】
【補正対象書類名】明細書
【補正対象項目名】００３２
【補正方法】変更
【補正の内容】
【００３２】
また、前記案内対象物が休日でない場合、時刻条件に基づいて、入退場の時刻
に関する情報が加工されるようにしても良い。
【手続補正１５】
【補正対象書類名】明細書
【補正対象項目名】００３３
【補正方法】変更
【補正の内容】
【００３３】
前記案内対象物が休日でない場合、時刻条件に基づいて、前記案内対象物への
訪問に有用となる情報としての、入退場の時刻に関する情報が加工されるので、
例えば、動物園への訪問に有用となる情報として、開園時間と、閉園時間（又は
最終入園時間）に関する情報がある場合、開園時間前であれば、閉園時間（又は
最終入園時間）に関する情報を省き、開園時間に関する情報だけを提供するよう
にし、閉園時間に近ければ、開園時間に関する情報を省き、閉園時間（又は最終
入園時間）に関する情報だけを提供するようにすることができる。これにより、
乗員にとって有用性の高い情報だけを乗員へ提供することができるので、情報の
氾濫により、乗員を混乱させるといった事態が生じるのを防止することができる
。
【手続補正１６】
【補正対象書類名】明細書
【補正対象項目名】００３４
【補正方法】変更
【補正の内容】
【００３４】
また、本発明に係るナビゲーション装置（３）は、移動体の位置に基づいて、
案内情報を提供する提供手段を備えたナビゲーション装置において、前記案内情
報の提供状況に応じて、ドライブを演出するためのイベントを行うイベント手段
を備えていることを特徴としている。
また、本発明に係るナビゲーション装置（４）は、上記ナビゲーション装置（
３）において、前記案内情報の提供が所定の期間無い場合、前記イベント手段が
、前記イベントを行うものであることを特徴としている。
【手続補正１７】
【補正対象書類名】明細書
【補正対象項目名】００３５
【補正方法】変更
【補正の内容】
【００３５】
上記ナビゲーション装置（３）によれば、前記案内情報の提供状況に応じて、
前記イベント（例えば、クイズの出題や、ユーザーに有益となる情報を外部から
取得しての提供など）が行われるので、ドライブを楽しく演出することができる
。
上記ナビゲーション装置（４）によれば、前記案内情報の提供が前記所定期間
無い場合、前記イベントが行われる。従って、市街地から外れ、前記移動体の周
辺に案内すべき案内対象物が存在せず、乗員が退屈な状態に陥ったとしても、前
記イベントが行われるので、退屈凌ぎに大きな効果を発揮することができる。
【手続補正１８】
【補正対象書類名】明細書
【補正対象項目名】００３６
【補正方法】変更
【補正の内容】
【００３６】
また、本発明に係るナビゲーション装置（５）は、上記ナビゲーション装置（
３）又は（４）において、前記イベント手段が、次の案内情報が提供されるまで
の期間、又は距離に基づいて、前記イベントを行うものであることを特徴として
いる。
【手続補正１９】
【補正対象書類名】明細書
【補正対象項目名】００３７
【補正方法】変更
【補正の内容】
【００３７】
前記案内情報の提供状況に応じて、前記イベントが行われるようにすることに
よって、乗員の退屈凌ぎに大きな効果を発揮するが、前記イベントが行われてい
る途中に、前記案内情報を提供するタイミングになると、下記のａ、ｂに示すよ
うな問題を生じる。
ａ．案内情報の提供を割り込ませると、イベントが中断される。
ｂ．イベントを中断させないと、案内情報を提供するタイミングが遅れる。
【手続補正２０】
【補正対象書類名】明細書
【補正対象項目名】００３８
【補正方法】変更
【補正の内容】
【００３８】
上記ナビゲーション装置（５）によれば、次の案内情報が提供されるまでの期
間、又は距離に基づいて、前記イベントが行われるので、例えば、次の案内情報
の提供まで１０分ある場合（又は１０ｋｍある場合）には、２分毎（又は２ｋｍ
毎）に計５問のクイズを出題するようにすることができる。これにより、上記の
ような問題が生じるのを回避することができ、ユーザーに不快感を抱かせること
なく、スムーズに案内やイベントを実施、及び進行することができる。
【手続補正２１】
【補正対象書類名】明細書
【補正対象項目名】００３９
【補正方法】変更
【補正の内容】
【００３９】
また、本発明に係るナビゲーション装置（６）は、上記ナビゲーション装置（
３）又は（４）において、目的地を設定するための目的地設定手段を備え、前記
イベント手段が、前記目的地設定手段により設定された目的地へ到達するまでに
要する期間、又は距離に基づいて、前記イベントを行うものであることを特徴と
している。
【手続補正２２】
【補正対象書類名】明細書
【補正対象項目名】００４０
【補正方法】変更
【補正の内容】
【００４０】
前記案内情報の提供状況に応じて、前記イベントが行われるようにすることに
よって、乗員の退屈凌ぎに大きな効果を発揮するが、前記イベントが行われてい
る途中に、目的地へ到着すると、前記イベントが中断されることとなり、好まし
くない状態を招く。
【手続補正２３】
【補正対象書類名】明細書
【補正対象項目名】００４１
【補正方法】変更
【補正の内容】
【００４１】
上記ナビゲーション装置（６）によれば、目的地へ到達するまでに要する期間
、又は距離に基づいて、前記イベントが行われるので、例えば、前記目的地へ到
達するまでに１０分ある場合（又は前記目的地まで１０ｋｍある場合）には、２
分毎（又は２ｋｍ毎）に計５問のクイズを出題するようにすることができる。こ
れにより、上記のような問題が生じるのを回避することができる。
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】